(57)【特許請求の範囲】
【請求項１】
操向操作自在な左右一対の前輪（１）及び左右一対の後輪（２）で支持された機体の後部に、リンク機構（３）を介して苗植付装置（５）を昇降操作自在に連結した乗用型田植機であって、
左右一対の支持部（７）を平面視で前輪（１）の前方に位置するように機体固定部（６）に固定すると共に、前記左右の支持部（７）に取り付け及び取り外し自在なバランスウェイト（１０）を備え、
機体の進行に伴って次の植付行程の指標としての線を田面（Ｇ）に引く左右一対のマーカー（１１）を、前記田面（Ｇ）に突入して線を引く作業姿勢及び田面（Ｇ）から上方に位置する退避姿勢に切換操作自在に、かつ、前記バランスウエイト（１０）よりも機体後方側に位置する状態で前記支持部（７）に支持させてある乗用型田植機。
【発明の詳細な説明】
【０００１】
【産業上の利用分野】
本発明は、乗用型田植機におけるバランスウェイトの支持構造に関する。
【０００２】
【従来の技術】
乗用型田植機では一般に苗植付装置（又は施肥装置付きの苗植付装置）を、リンク機構を介して機体の後部に昇降操作自在に連結している。そして、近年では例えば特開平２−２６８８５８号公報に開示されているように、苗植付装置の後部に薬剤散布装置を連結できるように構成して、苗の植付作業と同時に薬剤の散布作業を行えるように構成した乗用型田植機も現れてきている。
【０００３】
【発明が解決しようとする課題】
前述のように苗植付装置の後部に薬剤散布装置を連結すると、機体の前後の重量バランスが崩れることがあるので（機体の後部が重くなり過ぎる状態）、機体の前部に別のバランスウェイトを追加で取り付けることがある。
この場合、例えば実開平１−８０５８２号公報に開示されているように、機体の前端にバランスウェイトを取り付けることも考えられるが、これでは機体の前端からバランスウェイトが前方に突出して機体の全長が長くなり、狭い畦際での旋回が行い難くなることがある。
本発明は、乗用型田植機において機体の全長が長くならないようにしながら、機体の前側にバランスウェイトを取り付けることができるように構成することを目的としている。
【０００４】
【課題を解決するための手段】
本発明の特徴は、操向操作自在な左右一対の前輪及び左右一対の後輪で支持された機体の後部に、リンク機構を介して苗植付装置を昇降操作自在に連結した乗用型田植機において、次のように構成することにある。つまり、
〔１〕  左右一対の支持部を平面視で前輪の前方に位置するように機体固定部に固定すると共に、左右の支持部に取り付け及び取り外し自在なバランスウェイトを備え、
【０００５】
〔２〕  機体の進行に伴って次の植付行程の指標としての線を田面に引く左右一対のマーカーを、田面に突入して線を引く作業姿勢及び田面から上方に位置する退避姿勢に切換操作自在に、かつ、前記バランスウエイト（１０）よりも機体後方側に位置する状態で支持部に支持させてある。
【０００６】
【作用】
〔Ｉ〕
前項〔１〕のように構成すると例えば図１及び図３に示すように、バランスウェイト１０が前輪１の前方で機体の前部の横側に配置されることになるので、バランスウェイト１０が機体の前端から前方に突出するようなことがない。又、大きなバランスウェイト１０を支持部７に取り付けて、バランスウェイト１０が機体の前端から突出するような状態となっても、その突出量は小さい。
【０００７】
前輪１がステップやフェンダー等で覆われた乗用型田植機の場合、操縦部２４から前輪１の位置を把握し難いが、前項〔１〕のように構成すると平面視で前輪１の前方にバランスウェイト１０が位置することになるので、前輪１がステップやフェンダー等で覆われていても、操縦部２４からバランスウェイト１０を目視することができる。
これによって、バランスウェイト１０の後方に前輪１が位置していることになるので、例えば歩み板を介して乗用型田植機をトラックの荷台に載せる場合、操縦部２４の作業者が歩み板の上に支持部７（バランスウェイト１０）が位置するように乗用型田植機を操縦していけば、操縦部２４から前輪１を目視できなくても、踏み外すことなく前輪１を歩み板に載せて乗用型田植機をトラックの荷台に載せることができる。
そして、前項〔１〕のように前輪１の前方にバランスウェイト１０が位置していると、特に硬い畦の乗り越え時等において、このバランスウェイト１０が前輪１のプロテクタとなる。
【０００８】
〔ＩＩ〕
前項〔２〕のように構成すると、前項〔１〕の構成の場合と同様に前項〔Ｉ〕に記載の「作用」を備えており、これに加えて以下のような「作用」を備えている。
前項〔２〕のように構成すると、バランスウェイト用の支持部にマーカーも支持されることになるので、バランスウェイト用の支持部をマーカー用の支持部に兼用することができる。
【０００９】
【発明の効果】
請求項１のように構成すると、乗用型田植機において機体の全長が長くならないようにしながら、機体の前側にバランスウェイトを取り付けることができるようになり、狭い畦際での旋回が行い難くなると言う事態を無くして、乗用型田植機の旋回性能の低下を防止することができた。
操縦部から前輪を目視し難い場合にバランスウェイトが前輪の位置を示す指標となるので、歩み板を介して乗用型田植機をトラックの荷台に載せる際等の操縦性の向上が図れる。又、バランスウェイトが前輪のプロテクタとなるので、前輪の損傷を防止して耐久性の向上を図ることができた。
【００１０】
また、バランスウェイト用の支持部をマーカー用の支持部に兼用することができるので、部品の共用化による構造の簡素化が図れる。
【００１１】
【実施例】
以下、本発明の実施例を図面に基づいて説明する。
図１に示すように前輪１及び後輪２で支持された機体に操縦部２４を形成し、機体の後部にリンク機構３を油圧シリンダ４により昇降操作自在に備えて、リンク機構３の後端に１０条植えの苗植付装置５を連結して乗用型田植機を構成している。
図１及び図２に示すように、機体前部の左右の下部フレーム６（機体固定部に相当）に、左右一対の支持フレーム７（支持部に相当）が固定されている。この左右の支持フレーム７は左右の前輪１の前方に位置しており、左右の支持フレーム７の上部に、予備苗のせ台８が上下方向に多数支持されている。
【００１２】
前輪１を直進位置に設定している状態において前輪１の前方に位置するように（図３参照）、平面視コ字状のブラケット９が左右の支持フレーム７の各々に固定されている。これにより、図６に示すようなバランスウェイト１０を、図１，２，３，５に示すように必要な場合に必要な数だけブラケット９に引っ掛けて取り付けるのであり、必要でない場合にはブラケット９からバランスウェイト１０を取り外しておく。このように、ブラケット９にバランスウェイト１０を取り付けると、直進位置に設定されている前輪１の前方にバランスウェイト１０が位置する。
【００１３】
この乗用型田植機では一回の植付行程中に、機体の進行に伴って次の植付行程の指標としての線を田面Ｇに引いていく一対のマーカー１１を、機体の前部の左右に備えており、次にこのマーカー１１について説明する。
図２及び図３に示すように、左右の支持フレーム７の縦軸芯Ｐ１周りに揺動自在にパイプ状の第１アーム１２が左右一対支持されており、第１アーム１２を図３の実線に示す機体横方向の作業姿勢、及び一点鎖線で示す機体後方の格納姿勢に切換操作する電動モータ１３が備えられている。第１アーム１２の先端の横軸芯Ｐ２周りに第２アーム１４が上下揺動自在に支持され、第２アーム１４の先端にアルミ製のマーカー１１が、図４及び図７に示すようにリング部材２３により前後左右に自由に揺動できるように吊り下げされている。
【００１４】
図４に示すように、リンク機構３における上リンク３ａを上下揺動自在に支持するフレーム１６において、フレーム１６の横軸芯Ｐ３周りに操作板１５が上下揺動自在に支持され、操作板１５と左右の第２アーム１４とが一対のワイヤ１７により接続されている。上リンク３ａに操作アーム１８が固定されており、操作アーム１８の先端に接続された連係リンク１９のピン１９ａが、操作板１５の長孔１５ａに挿入されている。図２及び図４に示すように第２アーム１４を下方側に付勢するバネ２０、及び第２アーム１４が上昇操作されると第２アーム１４のピン１４ａに係合するフック２１が第１アーム１２に設けられている。
【００１５】
以上の構造により、例えば左の第１アーム１２を作業姿勢（図３の実線参照）に設定して、左のマーカー１１を田面Ｇ内に突入させ、右の第１アーム１２を格納姿勢（図３の一点鎖線参照）に設定した状態で、一回の植付行程を終了して機体が畦際に達したとする。
この場合、苗植付装置５を田面Ｇから大きく上昇操作して、畦際で機体を左に１８０°旋回させることになる。このように苗植付装置５を上昇操作すると、図４において上リンク３ａが上方に揺動操作されるので、操作アーム１８及び連係リンク１９により、操作板１５が紙面右方に揺動操作されワイヤ１７が操作板１５側に引き操作される。
【００１６】
これにより、作業姿勢（田面Ｇにマーカー１１が突入して線を引く状態）（図２の実線参照）の左の第２アーム１４が、バネ２０の付勢力に抗して退避姿勢（マーカー１１が田面Ｇから上方に位置する状態）（図２の二点鎖線参照）に上昇操作され、左の第２アーム１４のピン１４ａがフック２１に係合して、左の第２アーム１４が退避姿勢に保持されるのであり、この後に電動モータ１３により左の第１アーム１２が作業姿勢から格納姿勢（図３の一点鎖線参照）に切換操作される。
この場合、マーカー１１は自由状態で第２アーム１４に接続されているので、左の第２マーカー１４が退避姿勢に上昇操作されると、図２の二点鎖線に示すように左のマーカー１１は右の第２アーム１４に沿うような状態となる。
【００１７】
そして、畦際での左への１８０°旋回が終了すると、作業者が切換スイッチ（図示せず）等により右のマーカー１１を人為的に選択する。このように右のマーカー１１が選択されると、格納姿勢に切換操作されていた右の第１アーム１２が電動モータ１３により作業姿勢に切換操作されるのであり、苗植付装置５を田面Ｇにまで下降操作すると、図４に示すようにワイヤ１７が第２アーム１４側に戻され、アクチュエータ２２により右の第２アーム１４用のフック２１が外し操作されて、バネ２０の付勢力により右の第２アーム１４が退避姿勢から作業姿勢に下降操作される。
この場合、左の第１アーム１２は格納姿勢に保持され、フック２１により左の第２アーム１４は退避姿勢に保持されている。
【００１８】
尚、特許請求の範囲の項に図面との対照を便利にする為に符号を記すが、該記入により本発明は添付図面の構成に限定されるものではない。
【図面の簡単な説明】
【図１】乗用型田植機の全体側面図
【図２】作業姿勢におけるマーカー及び支持フレーム付近の正面図
【図３】作業姿勢におけるマーカー及び支持フレーム付近の平面図
【図４】リンク機構の基部とマーカーとの連係構造を示す図
【図５】バランスウェイトの引っ掛け状態を示す支持フレーム付近の縦断側面図
【図６】バランスウェイトと支持フレームの斜視図
【図７】第２アームとマーカーとの接続部分を示す側面図
【符号の説明】
１        前輪
２        後輪
３        リンク機構
５        苗植付装置
６        機体固定部
７        支持部
１０      バランスウェイト
１１      マーカー
Ｇ        田面
【図１】
0003558382.tif 000002
【図２】
0003558382.tif 000003
【図３】
0003558382.tif 000004
【図４】
0003558382.tif 000005
【図５】
0003558382.tif 000006
【図６】
0003558382.tif 000007
【図７】
0003558382.tif 000008